(57)【要約】      （修正有）【課題】枠体にシートを展張した状態において、前記シートの係止部材および前記シートが固定される係止溝を、前記シートによって覆い隠しつつ、前記シートと係止部材との連結強度を、簡便な構成により、前記シートの展張時の張力に十分に耐え得る強度とするシートの展張装置を提供する。【解決手段】枠体２に、この枠体２で囲まれた部分を覆ってシート３を装着するシートの展張装置であって、枠体２の表面側に、その長さ方向に沿って係止溝２ａが形成され、シート３の周縁部裏面には、係止溝２ａにシート３の周縁部とともに係合させられる係止プレート４が重畳状態で装着されてなり、係止プレート４が、弾性材料により係止溝２ａの幅と略等しい厚みに形成されているとともに、一側縁部に薄肉部４ａが形成され、この薄肉部４ａとシート３とが、これらを貫通する止着手段６により止着されている。【選択図】図６
0003200381.tif 000002
【実用新案登録請求の範囲】
【請求項１】
枠体に、この枠体で囲まれた部分を覆ってシートを装着するシートの展張装置であって、前記枠体の表面側に、その長さ方向に沿って係止溝が形成され、前記シートの周縁部裏面には、前記係止溝に前記シートの周縁部とともに係合させられる係止プレートが重畳状態で装着されてなり、前記係止プレートが、弾性材料により前記係止溝の幅と略等しい厚みに形成されているとともに、一側縁部に薄肉部が形成され、この薄肉部と前記シートとが、これらを貫通する止着手段により止着されていることを特徴とするシートの展張装置。
【請求項２】
前記係止プレートが、その薄肉部が前記シートの内側に位置するように、前記シートに止着されていることを特徴とする請求項１に記載のシートの展張装置。
【請求項３】
前記シートと前記係止プレートが、粘着材によって借り止めされており、この仮止めされた状態で、前記止着手段による止着がなされていることを特徴とする請求項１または請求項２に記載のシートの展張装置。
【請求項４】
前記枠体が多角形状に形成されていることを特徴とする請求項１ないし請求項３の何れかに記載のシートの展張装置。
【請求項５】
前記枠体が円形状に形成されていることを特徴とする請求項１ないし請求項３の何れかに記載のシートの展張装置。
【考案の詳細な説明】
【技術分野】
【０００１】
本考案は、枠体に、この枠体で囲まれた部分を覆ってシートを装着する際に用いられるシートの展張装置に関するものである。
【背景技術】
【０００２】
一般に、枠体に、その枠体で囲まれた部分を覆うようにして、ロゴや広告等が印刷されたシート、あるいは無地のシート、布シート、装飾柄シート等を装着することにより、パネル状のディスプレイとしたり、室内の間仕切りとして用いることが行なわれている。
【０００３】
そして、前記枠体に前記シートを取り付けるには、前記枠体に、その長さ方向に係止溝を形成しておき、この係止溝を覆うように前記シートを被せた後に、このシートの表面に当接させた係止部材を、前記シートとともに前記係止溝に押し込むことにより、前記シートの周縁部を、前記係止溝の内面と前記係止部材とで挟み込んで、前記枠体に固定するようにしている。
【０００４】
このような取り付け構造であると、前記係止溝を覆った状態にあるシートが、前記係止部材によって前記係止溝に押し込まれることから、前記シートが、前記係止溝の、前記枠体の内側に位置する縁部において折り曲げられて前記係止溝内に押し込まれる。
【０００５】
この結果、前記シートの止着部において前記係止溝が露出してしまい、この係止溝に押し込まれた前記係止部材が、前記シートの周縁部に露出してしまう。
【０００６】
このように、前記係止部材が前記シートの周縁部に露出してしまうと、このシートに施されている意匠に影響を与え、その意匠効果を損なうおそれがある。
【０００７】
一方、このような不具合へ対処可能な技術が、たとえば、特許文献１において示されている。
【０００８】
この技術は、前記係止部材を、前記シートの裏面側に熱融着や接着により固着しておき、前記係止部材を前記枠体の係止溝に押し込むことにより、前記シートを、その周縁部を前記係止溝の上方に位置させた状態で前記枠体に固定するようにしたものである。
【０００９】
このような構成とすることにより、前記シートの周縁部によって、前記係止溝およびこの係止溝内に押し込まれた前記係止部材が前記シートによって覆われる。
【００１０】
この結果、前記シートの周縁部に不要な部材が露出してしまうことがなく、シートに施された意匠による効果が保持される。
【先行技術文献】
【特許文献】
【００１１】
【特許文献１】特開２００７−３２７２５７号公報
【考案の概要】
【考案が解決しようとする課題】
【００１２】
前述した従来の技術によって、シートの展張のために用いられる係止部材を、シートによって覆うことにより、前記係止部材を前記枠体の係止溝とともに隠し、展張されたシートによる意匠効果が損なわれることへの抑制効果を期待できるものの、なお、つぎのような解決すべき問題点が残されている。
【００１３】
すなわち、前記シートを前記係止部材に固定する際に、接着や熱融着を用いているが、前者の場合には、その接着力が、前記シートの展張時に生じる張力に耐えられなくなることが想定され、また、後者の場合には、装置が大がかりとなり製造コストの高騰を招きやすい。
【００１４】
本考案は、前述した従来の技術において残されている問題点に鑑みてなされたもので、枠体にシートを展張した状態において、前記シートの係止部材および前記シートが固定される係止溝を、前記シートによって覆い隠しつつ、前記シートと係止部材との連結強度を、簡便な構成により、前記シートの展張時の張力に十分に耐え得る強度とすることを解決すべき課題とする。
【課題を解決するための手段】
【００１５】
本考案のシートの展張装置は、前述した課題を解決するために、枠体に、この枠体で囲まれた部分を覆ってシートを装着するシートの展張装置であって、前記枠体の表面側に、その長さ方向に沿って係止溝が形成され、前記シートの周縁部裏面には、前記係止溝に前記シートの周縁部とともに係合させられる係止プレートが重畳状態で装着されてなり、前記係止プレートが、弾性材料により前記係止溝の幅と略等しい厚みに形成されているとともに、一側縁部に薄肉部が形成され、この薄肉部と前記シートとが、これらを貫通する止着手段により止着されていることを特徴としている。
【００１６】
このような構成とすることにより、前記係止プレートが、前記シートの裏面側に位置させられた状態で前記枠体の係止溝に係合させられて、前記シートの展張がなされる。
【００１７】
このように展張されたシートは、前記係止プレートおよび前記係止溝を覆って位置される。
したがって、前記シートを展張するための係止具等が露出することはなく、前記シートの意匠性を損なうこともない。
【００１８】
しかも、前記係止プレートに薄肉部を形成し、この薄肉部と前記シートとを、これらを貫通する止着手段によって止着したことにより、これらを高強度で止着することができる。
【００１９】
また、前記係止プレートの薄肉部を利用して前記シートの止着を行なうようにしたことにより、止着時における両者の位置ずれが起こりにくく、これによって、前記止着手段として、縫製やステープラーを用いることができる。
【００２０】
したがって、簡便な作業によって前記係止プレートと前記シートとの止着を行なうことができる。
【００２１】
前記係止プレートを、その薄肉部が前記シートの内側に位置するように、前記シートに止着することもできる。
【００２２】
このように止着された係止プレートは、前記係止溝に係合させられた状態において、前記薄肉部が、前記係止溝の開口部近傍において、この係止溝の内面との間に隙間を形成しつつ位置させられる。
【００２３】
そして、前記シートに張力が加わった際に、前記薄肉部が弾性変形することにより、前記張力を弾性的に支持する。
これによって、前記シートに常時張力が加わった状態に保持することができ、展張された前記シートの張りを確保することができる。
【００２４】
一方、前記シートと前記係止プレートを、粘着材によって借り止めした状態で、前記止着手段による止着を行なうことにより、止着時の、前記シートと前記係止プレートとの位置ずれを、より効果的に防止し、その止着作業を簡便なものとすることができる。
【００２５】
そして、前記枠体は多角形状や円形状に形成することができ、円形状に近づくにつれて、前記係止プレートの長さを短くすることにより、シートの展張を効果的に行なうことができる。
【考案の効果】
【００２６】
本考案によれば、枠体とシートとを、簡素な構造によって強固に止着し、シートの展張時において、前記シートに十分な張力を負荷することができるとともに、前記シートを枠体の係止溝に係止する際に、この係止溝ならびにこの係止溝内に係合させられる係止プレートを前記シートによって覆い隠すことができる。
したがって、前記シートの周縁部をすっきりと納めて、その意匠効果を高めることができる。
【図面の簡単な説明】
【００２７】
【図１】本考案の第１の実施形態を示す外観斜視図である。
【図２】本考案の第１の実施形態を示す分解斜視図である。
【図３】本考案の第１の実施形態を示すもので、シートの正面図である。
【図４】本考案の第１の実施形態を示すもので、シートの裏面図である。
【図５】本考案の第１の実施形態を示すもので、図４のＶ−Ｖ線拡大断面図である。
【図６】本考案の第１の実施形態を示すもので、シートの展張手順を示す要部の拡大断面図である。
【図７】本考案の第１の実施形態を示すもので、シートの展張手順を示す要部の拡大断面図である。
【図８】本考案の第１の実施形態を示すもので、シートの展張手順を示す要部の拡大断面図である。
【図９】本考案の変形例を示すもので、要部の拡大断面図である。
【考案を実施するための形態】
【００２８】
以下、本考案の一実施形態を図面を参照して説明する。
【００２９】
図中、符号１は本実施形態が適用された広告板を示し、矩形状の枠体２と、この枠体２の前面に展張されて、その枠体で囲まれた部分を覆うシート３とを備えている。
【００３０】
前記枠体２の前面には、その長さ方向に沿った係止溝２ａが形成されており、この係止溝２ａは、図６に示すように、全長にわたってほぼ一定の幅に形成され、前記枠体２と同様に矩形状に形成されている。
【００３１】
前記シート３は、布や樹脂フィルム等によって形成されており、前記係止溝２ａによって形成される矩形形状に対して、相似的に若干大きな形状となされている。シート３としては、ロゴや広告等が印刷されたシート、あるいは無地のシート、布シート、装飾柄シート等が好適に用いられる。
【００３２】
そして、前記シート３の裏面には、図２ないし図４に示すように、その周縁部において、各辺に沿うように４つの係止プレート４が止着されている。
【００３３】
これらの係止プレート４は、たとえばシリコーン樹脂等の弾性を有する材料によって形成され、対向する平行な係止プレート４間の間隔が、前記枠体２に形成されている前記係止溝２ａの、対向する平行な係止溝２ａ間の間隔にほぼ等しく設定されている。この係止プレート４としては、厚紙や段ボール、発泡素材等により形成することもできる。
【００３４】
さらに、前記各係止プレート４の厚みが、前記係止溝２ａの幅と略同一となされているとともに、その幅方向の一側縁部に薄肉部４ａが形成されている。
【００３５】
このような係止プレート４は、図５に示すように、前記薄肉部４ａを外側にして、前記シート３の周縁部に配置され、たとえば、両面テープ等の粘着材５によって仮止めされる。
【００３６】
仮止めされた前記係止プレート４は、それぞれの薄肉部４ａにおいて、前記シート３を貫通する止着手段６によって、前記シート３に止着される。
【００３７】
前記止着手段６は、本実施形態においては、ステープラーを用いた例を示してある。
この止着手段６は、ステープラーに限らず、糸を用いた縫製であってもよい。薄肉部４ａは、ステープラーによる止着や縫製がし易い程度の肉厚と、相互の接着力を高める粘着材を有することが望ましい。
【００３８】
このように前記シート３に前記係止プレート４を止着する際に、この係止プレート４の薄肉部４ａを用いて行なうことにより、この薄肉部４ａの変形が小さく抑えられることから、前記止着手段６の貫通を容易に許容する。
【００３９】
したがって、前記係止プレート４の前記シート３への止着が容易であるとともに、これらを貫通する止着手段６によって止着するものであるから、その止着強度が十分に得られる。
【００４０】
ついで、このように構成された本実施形態における前記シート３を前記枠体２へ展張する際の手順について図６ないし図８を参照して説明する。
【００４１】
まず、図６に示すように、前記シート３の周縁部を、前記係止プレート４が裏面側に位置するように折り曲げ、この係止プレート４の薄肉部４ａを前記枠体２の係止溝２ａに差し込む。
【００４２】
ついで、前記係止プレート４をさらに前記係止溝２ａに押し込んで、図７および図８に示すように、前記係止プレート４の上端部が、前記係止溝２ａの開口端縁の近傍に位置するまで押し込む。
【００４３】
このような操作を、前記係止プレート４について行なうことにより、前記シート３の周縁が、図１に示すように、全周にわたって前記枠体２に係止され、このシート３の前記枠体２への展張がなされる。
【００４４】
ここで、平行な他の係止プレート４が既に前記係止溝２ａに係止させられている状態では、係止プレート４の差し込み操作の初期段階で、図６に示すように、前記シート３は撓んだ状態である。
【００４５】
しかしながら、平行に対峙させられている一対の前記係止溝２ａ間の距離と、これらに係止される前記一対の係止プレート４間の距離が略等しく設定されていることにより、図７に示すように、前記係止プレート４の基部を前記係止溝２ａに差し込む段階において、前記シート３に張力が与えられてその撓みが除去されて、前記シート３が適度な張力のもとに展張される。
【００４６】
そして、前述した張力は、前記止着手段６によって支持されるが、本実施形態に示すように、前記止着手段６は、前記係止プレート４の薄肉部４ａと前記シート３を貫通することによって両者を止着していることから、前述した張力を十分に支持することができる。
【００４７】
このように、前記シート３を前記枠体２に展張した状態において、前記シート３を係止する前記係止プレート４およびこの係止プレート４が係合させられる前記係止溝２ａが、前記シート３によって覆われて、前記枠体２の表面に露出することはない。
【００４８】
したがって、前記シート３の展張に用いられる固定部材等が露出することがなく、このシート３の意匠のみが視認されることとなり、その意匠的効果が損なわれることがない。
【００４９】
なお、前記実施形態において示した各構成部材の諸形状や寸法等は一例であって、設計要求等に基づき種々変更可能である。
【００５０】
たとえば、前記実施形態においては、矩形状の前記枠体２を例示したが、五角形以上の多角形形状や、円形とすることも可能である。
【００５１】
また、前記粘着材５として両面テープを例示したが、液状の粘着材であってもよい。
【００５２】
さらに、前記係止プレート４を、その薄肉部４ａを外側に向けて止着した例について示したが、これに代えて、図９に示すように、前記薄肉部４ａを内側に向けて止着することもできる。
【００５３】
このような構成とすることにより、前記シート３を前記枠体２に展張した状態において、図９に示すように、前記薄肉部４ａが、前記係止溝２ａの開口部分に位置させられるとともに、その内面との間に隙間を形成した状態に保持される。
【００５４】
この結果、前記シート３に加わる張力が変化した場合に、前記薄肉部４ａが、前記隙間内において撓み、前述した張力の変化を吸収する。
【００５５】
したがって、前述した前記係止溝２ａ間の間隔と前記係止プレート４間の間隔とに誤差が生じた場合にあっても、その誤差を吸収して良好な展張を行なうことができる。
【００５６】
係止プレート４の素材については、複数の材料を用いることで、低コスト化や高生産性が実現可能である。例えば、厚紙に樹脂を塗布したり、押し込み支持塩ビ板材＋発砲素材の組み合わせ等、を例示することができる。
【００５７】
なお、上記実施例では枠体に係止溝２ａを設け、この係止溝２ａに、シート３付の係止プレート４を差し込むことでシート３を展張する例を示したが、この係止溝２ａについては、例えば、壁面等に設けて、その壁面の係止溝に対してシート３付の係止プレート４を差し込むことで、シート３を展張する構成を採用することもできる。さらに、壁面に限らず、例えば矩形状板材の表面に係止溝２ａを設けてその板材の表面にシート３を展張する構成等も採用可能である。
【符号の説明】
【００５８】
１  広告板
２  枠体
２ａ  係止溝
３  シート
４  係止プレート
４ａ  薄肉部
５  粘着材
６  止着手段
【図１】
0003200381.tif 000003
【図２】
0003200381.tif 000004
【図３】
0003200381.tif 000005
【図４】
0003200381.tif 000006
【図５】
0003200381.tif 000007
【図６】
0003200381.tif 000008
【図７】
0003200381.tif 000009
【図８】
0003200381.tif 000010
【図９】
0003200381.tif 000011